(57)【要約】【課題】トイレットペーパーを片手で引き出して切断できるトイレットペーパー用ホルダー２の提供。【解決手段】このホルダー２は、トイレットペーパーの紙巻１６が収容されるボディ４、このボディ４の上部に取り付けられており、かつ左右方向に延びる軸３６を中心として回動しうる天板６、この天板６の前部に固定されている刃８及び上記ボディ４の上部でかつ後部に固定されており、上記天板６よりも上方に位置しており、かつ左右方向に延びるバー１０を備える。トイレットペーパーが斜め下方に引かれると、天板６に正回転のモーメントが生じ、この天板６によってトイレットペーパーがバー１０に押し付けられる。このトイレットペーパーが斜め上方にひかれると、この天板６に逆回転のモーメントが生じ、この天板６がバー１０から離間する。【選択図】図１
2008167891.tif 000002
【特許請求の範囲】
【請求項１】
トイレットペーパーの紙巻が収容されるボディ、
このボディの上部に取り付けられており、かつ左右方向に延びる軸を中心として回動しうる天板、
この天板の前部に固定されており、かつ左右方向に延在する刃
及び
上記ボディの上部でかつ後部に固定されており、上記天板よりも上方に位置しており、かつ左右方向に延びるバー
を備えており、
紙巻から引き出され天板とバーとの間を通過し刃の前方に至るトイレットペーパーが斜め下方に引かれたときに、天板に正回転のモーメントが生じ、この天板によってトイレットペーパーがバーに押し付けられるように構成されており、
このトイレットペーパーが斜め上方にひかれたときに、この天板に逆回転のモーメントが生じ、この天板がバーから離間するように構成されたホルダー。
【請求項２】
上記天板の後部に固定されており、この天板から上方に突出しており、上記バーの後方に位置しており、かつ左右方向に延在する凸条をさらに備えている請求項１に記載のホルダー。
【請求項３】
上記天板の後方においてこの天板から離間して位置するガイドをさらに備えており、
このガイドによって、トイレットペーパーの先端が天板の裏側から表側へと案内されるように構成された請求項１又は２に記載のホルダー。
【発明の詳細な説明】
【技術分野】
【０００１】
本発明は、トイレットペーパーを収容しうるホルダーに関する。
【背景技術】
【０００２】
トイレの壁面には、トイレットペーパーを保持しておくためのホルダーが取り付けられている。このホルダーは、この壁面に固定されるベースプレートと、このベースプレートの左右両側の縁から前方に突き出る側板と、左右の側板に架け渡された支持軸と、ベースプレートの上縁において支軸で軸支されるカバー板とを備えている。トイレットペーパーは通常、パイプ状の芯材に巻かれている。トイレットペーパーは、この芯材に支持軸が挿通されて、このホルダーに保持される。この保持状態において、このカバー板はこのトイレットペーパーを覆い被さるように配置される。
【０００３】
利用者は、必要とする長さまでトイレットペーパーを引き出した後、カバー板でこのトイレットペーパーを押さえつつ、このカバー板の前縁でこのトイレットペーパーを切断する。従って、利用者は、一方の手で、トイレットペーパーを引き出し、他方の手でカバー板を押さえなければならない。換言すれば、このホルダーでは、利用者は、両手を使わなければ、トイレットペーパーを利用できない。
【０００４】
高齢者及び幼児が簡単に取り扱いできるロールペーパー用ホルダーが、特開平１１−１５５７６２号公報に開示されている。このホルダーは、その下方部にこのロールペーパーを切断する切断帯が設けられているカバーを備えている。
【０００５】
トイレ用として好適に使用されうるペーパーカッターが、特開２００１−３４０２５５公報に開示されている。このペーパーカッターは、カバープレート（前述のカバー板に相当）に取付可能な取付部材と、ペーパーを切断するためのカット縁を有するカッタープレートとを備えている。このペーパーカッターは、ペーパーロールの回転方向前後に移動しうる。
【０００６】
片手で使用可能なロールペーパーホルダーが、特開２００５−７４１８３公報に開示されている。このホルダーでは、回転ホイール、ロック機構、三角回転板等を随時操作することにより、片手でペーパーの取り出しからカット、ペーパーの重ね取りまでの一連の作業がなされうる。
【特許文献１】特開平１１−１５５７６２号公報
【特許文献２】特開２００１−３４０２５５公報
【特許文献３】特開２００５−７４１８３公報
【発明の開示】
【発明が解決しようとする課題】
【０００７】
上記特開平１１−１５５７６２号公報に記載のロールペーパー用ホルダーでは、ペーパーを切断する切断帯は、カバーの下方部に設けられている。このホルダーでは、従来のホルダーに比べて低い位置で、ペーパーは切断される。このため、従来のホルダーに置き換えてこのホルダーが用いられる場合、このホルダーを利用する利用者の姿勢が変化する。利用者が、この姿勢変化に違和感を感じる場合がある。
【０００８】
上記特開２００１−３４０２５５公報に記載のペーパーカッターを用いるには、ホルダーのカバープレートにこのペーパーカッターが取り付けられなければならない。この取付は、高齢者及び幼児にとって、容易ではない。彼らにとって、ペーパーロールの回転方向前後に自在に移動しうるペーパーカッターを使いこなすことも困難である。
【０００９】
上記特開２００５−７４１８３公報に記載のロールペーパーホルダーでは、ペーパーを用いるために、まず利用者は回転ホイールを手動で回動させて、ペーパを引き出す。次に、利用者は、押え蓋を下方へ押してロールペーパの回転を止める。そして、利用者は、ペーパーをカットして、必要なペーパーを得ることができる。このホルダーでは、利用者はペーパーを得るために複数のステップを経なければならない。このようなホルダーでは、利用者は煩わしさを憶えてしまう。
【００１０】
本発明の目的は、トイレットペーパーを片手で引き出して切断できるトイレットペーパー用ホルダーの提供にある。
【課題を解決するための手段】
【００１１】
本発明に係るトイレットペーパー用ホルダーは、トイレットペーパーの紙巻が収容されるボディ、このボディの上部に取り付けられており、かつ左右方向に延びる軸を中心として回動しうる天板、この天板の前部に固定されており、かつ左右方向に延在する刃及び上記ボディの上部でかつ後部に固定されており、上記天板よりも上方に位置しており、かつ左右方向に延びるバーを備えている。このホルダーは、紙巻から引き出され天板とバーとの間を通過し刃の前方に至るトイレットペーパーが斜め下方に引かれたときに、天板に正回転のモーメントが生じ、この天板によってトイレットペーパーがバーに押し付けられるように構成されている。このホルダーは、このトイレットペーパーが斜め上方にひかれたときに、この天板に逆回転のモーメントが生じ、この天板がバーから離間するように構成されている。
【００１２】
好ましくは、このホルダーは、上記天板の後部に固定されており、この天板から上方に突出しており、上記バーの後方に位置しており、かつ左右方向に延在する凸条をさらに備えている。
【００１３】
好ましくは、このホルダーは、上記天板の後方においてこの天板から離間して位置するガイドをさらに備えている。このホルダーは、このガイドによって、トイレットペーパーの先端が天板の裏側から表側へと案内されるように構成されている。
【発明の効果】
【００１４】
このホルダーが用いられることにより、利用者は片手でトイレットペーパーを引き出して切断できる。このホルダーの取り扱いは、容易である。
【発明を実施するための最良の形態】
【００１５】
以下、適宜図面が参照されつつ、好ましい実施形態に基づいて本発明が詳細に説明される。
【００１６】
図１は、本発明の一実施形態に係るトイレットペーパー用ホルダー２が示された分解側面図である。図２は、図１のホルダー２が示された分解正面図である。このホルダー２は、ボディ４と、天板６と、刃８と、バー１０と、凸条１２と、ガイド１４とを備えている。このホルダー２には、トイレットペーパーがパイプ状の芯材に巻かれて得られる紙巻１６が保持される。
【００１７】
ボディ４は、紙巻１６を収容する。このボディ４は、底板１８と、一対の側板２０と、背板２２とを備えている。この底板１８は、矩形のプレートである。
【００１８】
側板２０は、プレートである。左右の側板２０は、底板１８を挟み込んでいる。これらの側板２０は、底板１８の左右の縁から上方に起立している。この側板２０は、第一の孔３０と、第二の孔３２と、受け部３４とを備えている。この第一の孔３０は、この側板２０の上部でかつ後部に位置している。この第二の孔３２は、この側板２０の上部でかつ中央部に位置している。この第二の孔３２は、上下方向においてこの第一の孔３０よりも下側に位置している。受け部３４は、この側板２０の上部でかつ前部に位置している。この受け部３４は、この側板２０の前方上側の隅に設けられている。このホルダー２では、左右の側板２０の構成は同一である。
【００１９】
背板２２は、矩形のプレートである。この背板２２は、底板１８の後方の縁から上方に起立している。この背板２２は、左右の側板２０に挟み込まれている。このホルダー２では、この背板２２の高さは、側板２０の高さよりも低い。
【００２０】
天板６は、略矩形のプレートである。この天板６は、軸３６と、一対の突部３８と、支持フレーム４０とを備えている。この軸３６は、この天板６に固定されている。この軸３６は、この天板６の左右の側面４２から突出している。この軸３６は、天板６の前後方向中央において左右方向に延びている。このホルダー２では、この軸３６は丸棒材である。
【００２１】
突部３８は、天板６の前部に位置している。一方の突部３８ａは、この天板６の右の側面４２ａから右方向に突出している。他方の突部３８ｂは、この天板６の左の側面４２ｂから左方向に突出している。これらの突部３８は、天板６の両側に位置している。
【００２２】
凸条１２は、天板６の後部に固定されている。この凸条１２は、天板６から上方に突出している。この凸条１２は、左右方向に延在している。
【００２３】
ガイド１４は、天板６の後方に位置している。このガイド１４は、その断面が湾曲しているプレートである。このガイド１４は、支持フレーム４０によりこの天板６に固定されている。このガイド１４は、この天板６から離間している。このガイド１４と天板６との間には、隙間４４が形成されている。
【００２４】
刃８は、天板６の前部に固定されている。この刃８は、天板６から上方に突出している。この刃８は、左右方向に延在している。このホルダー２では、この刃８は鋸刃状を呈している。この刃８が、その縁が薄いプレートから構成されてもよい。
【００２５】
バー１０は、丸棒材である。このバー１０の一端は、右の側板２０の第一の孔３０に嵌め込まれる。このバー１０の他端は、左の側板２０の第一の孔３０に嵌め込まれる。このバー１０は、左右の側板２０の間に位置している。このバー１０は、左右方向に延びている。
【００２６】
このホルダー２では、天板６の軸３６は側板２０に設けられている第二の孔３２に嵌め入れられる。この天板６は、この軸３６を中心として回動しうる。このホルダー２は、天板６の突部３８が側板２０の受け部３４と接触するように構成されている。なお、このホルダー２では、この第二の孔３２がこの側板２０の上面４６から下方に凹んだ溝とされてもよい。この溝は、この軸３６を支持する。このホルダー２がこのような溝を有することで、この天板６の取り外しが容易となる。この場合、このホルダー２への紙巻１６の組付けが容易となる。
【００２７】
図３は、図１のホルダー２の使用状況が示された側方断面図である。この図３では、天板６が軸３６を中心として回動している。この回動により、この天板６の前部４８は後方側に位置し、この天板６の後部５０が前方側に位置する。この図３では、この天板６の裏側が上方にあり、この天板６の表側が下方にある。図３中、実線Ｐは紙巻１６（図示されず）から引き出されたトイレットペーパーを表している。図示されているように、トイレットペーパーは、天板６とガイド１４との間にある隙間４４を、天板６の裏側から表側に向かって通されている。換言すれば、このガイド１４はトイレットペーパーの先端５２を天板６の裏側から表側へと案内している。このホルダー２では、この先端５２が隙間４４を通された後、この天板６が矢印Ａで示された方向に回動される。そして、紙巻１６がこのホルダー２のボディ４に収容される。なお、この矢印Ａで示された方向が、この天板６の正回転の方向である。
【００２８】
図４は、図１のホルダー２からトイレットペーパーが引き出されている状況が示された側方断面図である。この図４には、ホルダー２と、紙巻１６とが示されている。図示されているように、この紙巻１６は、このホルダー２のボディ４に収容されている。このホルダー２では、紙巻１６がボディ４に収容されている状態において、バー１０は天板６よりも上方に位置している。この紙巻１６から引き出されたトイレットペーパーは、ガイド１４と天板６との間にある隙間４４及びバー１０と天板６との間を通過し、刃８の前方に至っている。この図４において、このトイレットペーパーは斜め上方に引かれている。なお、この図において、トイレットペーパーは実線Ｐで示されている。
【００２９】
このホルダー２では、トイレットペーパーが斜め上方に引かれることにより、このトイレットペーパーが凸条１２を押圧する。天板６は軸３６を中心にして回動しうるので、この押圧によりこの天板６に逆回転のモーメントが生じて、この天板６がバー１０から離間する。このホルダー２では、トイレットパーパーが斜め上方に引かれると、天板６の後部５０が下方に移動し、天板６の前部４８が上方に移動する。図４中、矢印線Ｂで示された方向がこの天板６の逆回転の方向である。
【００３０】
図５は、ホルダー２から引き出されたトイレットペーパーが切断されている状況が示された側方断面図である。この図５には、ホルダー２と、紙巻１６とが示されている。図示されているように、紙巻１６から引き出されたトイレットペーパーＰは、ガイド１４と天板６との間にある隙間４４及びバー１０と天板６との間を通過し、刃８の前方に至っている。このトイレットペーパーは、斜め下方に引かれている。なお、この図において、トイレットペーパーは実線Ｐで示されている。
【００３１】
このホルダー２では、トイレットペーパーが斜め下方に引かれることにより、トイレットペーパーが刃８に押し当てられる。天板６は軸３６を中心にして回動しうるので、この天板６に正回転のモーメントが生じて、この天板６がトイレットペーパーをバー１０に押し付ける。その一方で、この天板６の突部３８が側板２０の受け部３４に接触する。この接触により、この突部３８はこの受け部３４に支持される。
【００３２】
このホルダー２では、利用者はトイレットペーパーを引き出すために、トイレットペーパーを斜め上方に引く。前述したように、トイレットペーパーが斜め上方に引かれることにより、逆回転のモーメントが生じて、天板６がバー１０から離間する。これにより、トイレットペーパーが滑らかに引き出されうる。このホルダー２では、天板６に凸条１２が設けられている。図５に示されているように、トイレットペーパーが切断される状態において、凸条１２の上面５４はバー１０の下面５６よりも上方に位置している。従って、トイレットペーパーが斜め上方に引かれてこのホルダー２から引き出されるとき、この天板６が回動してこの凸条１２の上面５４が下方に動く。この凸条１２は、天板６のバー１０からの離間を促す。この凸条１２は、トイレットペーパーの引き出しに寄与しうる。この凸条１２を備えたホルダー２が用いられることにより、利用者はトイレットペーパーを片手で容易に引き出しうる。
【００３３】
このホルダー２では、利用者は前述のようにして必要長のトイレットペーパーを引き出した後、このトイレットペーパーを斜め下方に引く。前述したように、トイレットペーパーが斜め下方に引かれることにより、正回転のモーメントが生じてトイレットペーパーが天板６によってバー１０に押し付けられる。この押し付けにより、トイレットペーパーの動きが拘束される。このホルダー２では、凸条１２はバー１０の後方に位置している。前述したように、トイレットペーパーが切断される状態において、凸条１２の上面５４はバー１０の下面５６よりも上方に位置している。従って、この状態において、凸条１２はトイレットペーパーを上方に持ち上げる。この凸条１２は、トイレットペーパーのバー１０への押し付けに寄与しうる。このホルダー２では、トイレットペーパーが切断されるとき、このトイレットペーパーの動きが確実に拘束される。この状態にあるトイレットペーパーは、容易に引き出されない。
【００３４】
前述したように、このホルダー２でトイレットペーパーが切断される状態において、天板６の突部３８が側板２０の受け部３４に支持される。この支持により、刃８の位置が安定に保持される。このホルダー２では、トイレットペーパーの切断は容易である。このホルダー２が用いられることにより、利用者は片手でトイレットペーパーを引き出して切断できる。このホルダー２の取り扱いは、容易である。
【産業上の利用可能性】
【００３５】
本発明は、一般住居、病院、高齢者及び幼児が利用する福祉施設等の様々な施設に設けられるトイレに適用されうる。
【図面の簡単な説明】
【００３６】
【図１】図１は、本発明の一実施形態に係るトイレットペーパー用ホルダーが示された分解側面図である。
【図２】図２は、図１のホルダーが示された分解正面図である。
【図３】図３は、図１のホルダーの使用状況が示された側方断面図である。
【図４】図４は、図１のホルダーからトイレットペーパーが引き出されている状況が示された側方断面図である。
【図５】図５は、ホルダーから引き出されたトイレットペーパーが切断されている状況が示された側方断面図である。
【符号の説明】
【００３７】
２・・・ホルダー
４・・・ボディ
６・・・天板
８・・・刃
１０・・・バー
１２・・・凸条
１４・・・ガイド
１６・・・紙巻
１８・・・底板
２０・・・側板
２２・・・背板
３０・・・第一の孔
３２・・・第二の孔
３４・・・受け部
３６・・・軸
３８、３８ａ、３８ｂ・・・突部
４０・・・支持フレーム
４２、４２ａ、４２ｂ・・・側面
４４・・・隙間
４６・・・上面
４８・・・前部
５０・・・後部
５２・・・先端
５４・・・上面
５６・・・下面
【図１】
2008167891.tif 000003
【図２】
2008167891.tif 000004
【図３】
2008167891.tif 000005
【図４】
2008167891.tif 000006
【図５】
2008167891.tif 000007